(57)【要約】      （修正有）【課題】オフロードデータの欠落を防ぐ方法とシステムを提供する。【解決手段】無線通信システム１０は、第１及び第２の基地局１ａ、１ｂを含む複数の基地局と、第１及び第２の端末を含む複数の端末１１ａ〜１２ｃを有する。第１の基地局は、送受信制御部を有する。第１及び第２の端末は、転送処理部を有する。送受信制御部は、第１の基地局とコアネットワークとの間のバックホールを使用して送信されるデータの量が閾値以上であり、かつ、データを第２の基地局にオフロードできる場合、第１及び第２の基地局の両方に接続可能な第１の端末と、データを送受信する。第１及び第２の基地局の両方に接続可能なエリアに存在する第２の端末の転送処理部は、第１の基地局と接続できないエリアに第１の端末が移動した場合、第２の通信方式を使用して、第１の端末から未転送のデータを受信し、未転送のデータを、第１の通信方式を使用して、第１の基地局に転送する。【選択図】図４
2018196088.tif 000002
【特許請求の範囲】
【請求項１】
第１及び第２の基地局を含む複数の基地局と、第１及び第２の端末を含む複数の端末を有する無線通信システムであって、
前記第１の基地局は、
前記第１の基地局とコアネットワークとの間のバックホールを使用して送信されるデータの量が閾値以上であり、かつ、前記データを前記第２の基地局にオフロードできる場合、前記第１及び第２の基地局の両方に接続可能な前記第１の端末と、前記データを送受信する送受信制御部を有し、
前記第１の端末は、
前記第１の基地局から受信された前記データを、第１の通信方式を使用して、前記第２の基地局に転送し、前記第２の基地局から受信された前記データを、前記第１の通信方式を使用して、前記第１の基地局に転送する転送処理部を有し、
前記第１及び第２の基地局の両方に接続可能なエリアに存在する前記第２の端末は、
前記第１の基地局と接続できないエリアに前記第１の端末が移動した場合、第２の通信方式を使用して、前記第１の端末から未転送の前記データを受信し、前記未転送のデータを、前記第１の通信方式を使用して、前記第１の基地局に転送する転送処理部
を有することを特徴とする無線通信システム。
【請求項２】
前記第１の基地局は、
前記第１の端末と前記第１の基地局との間の前記第１の通信方式の品質情報、及び、前記第１の端末と前記第２の基地局との間の前記第１の通信方式の品質情報のうち、より低い方の前記品質情報に基づいて、オフロードされる前記データの通信単位領域のサイズを算出する算出部
を更に備える請求項１に記載の無線通信システム。
【請求項３】
前記オフロードされるデータの通信単位領域は、前記第１の通信方式を使用して、前記第１又は第２の基地局から受信された前記データを保持する第１の領域と、前記第２の通信方式を使用して、他の前記端末から受信された前記未転送のデータを保持する第２の領域とを含むことを特徴とする請求項２に記載の無線通信システム。
【請求項４】
前記通信単位領域のサイズは、無線リソースブロック数により表されることを特徴とする請求項２又は３に記載の無線通信システム。
【請求項５】
前記第１の端末は、
前記第１の基地局との間の前記第１の通信方式の品質情報、及び、前記第１の端末との間の前記第２の通信方式の品質情報、がより高い前記端末を優先して、ペアリング対象の前記第２の端末に決定するペアリング制御部を更に備え、
前記第２の通信方式は、前記第１の端末とペアリングされた前記第２の端末との間で使用されることを特徴とする請求項２乃至４のいずれか１項に記載の無線通信システム。
【請求項６】
前記品質情報は、ＣＱＩ（Ｃｈａｎｎｅｌ  Ｑｕａｌｉｔｙ  Ｉｎｄｉｃａｔｏｒ）値であることを特徴とする請求項２乃至５のいずれか１項に記載の無線通信システム。
【請求項７】
第１及び第２の基地局を含む複数の基地局と、第１及び第２の端末を含む複数の端末を有する無線通信システムの通信制御方法であって、
第１の基地局が、
前記第１の基地局とコアネットワークとの間のバックホールを使用して送信されるデータの量が閾値以上であり、かつ、前記データを前記第２の基地局にオフロードできる場合、前記第１及び第２の基地局の両方に接続可能な前記第１の端末と、前記データを送受信し、
第１の端末が、
前記第１の基地局から受信された前記データを、第１の通信方式を使用して、前記第２の基地局に転送し、前記第２の基地局から受信された前記データを、前記第１の通信方式を使用して、前記第１の基地局に転送し、
前記第１及び第２の基地局の両方に接続可能なエリアに存在する第２の端末が、
前記第１の基地局と接続できないエリアに前記第１の端末が移動した場合、第２の通信方式を使用して、前記第１の端末から未転送の前記データを受信し、前記未転送のデータを、前記第１の通信方式を使用して、前記第１の基地局に転送する
処理を行うことを特徴とする通信制御方法。
【発明の詳細な説明】
【技術分野】
【０００１】
本発明は、無線通信システム及び通信制御方法に関する。
【背景技術】
【０００２】
近年、モバイルデータ通信のデータトラフィックの増大により、無線アクセスネットワークとコアネットワークとの間のデータバックホールに大きな負荷がかかっている。今後は更に、従来の情報通信機器だけでなく、世の中に存在する様々なモノ（物）に通信機能を持たせて、ネットワークに接続するなどのＩｏＴ（Internet of Things）化が進むことから、ネットワークにかかる負荷も更に増大することが予想される。現在の状況でも人が密集する場所ではバックホールが一時的にオーバーフローとなり、データ転送が極端に遅くなる現象が生じている。
【先行技術文献】
【特許文献】
【０００３】
【特許文献１】特表２０１５−５１１１０２号公報
【発明の概要】
【発明が解決しようとする課題】
【０００４】
しかしながら、ネットワークの処理能力を向上させるために、バックホール設備の増強などを行うと、設備コストが増加してしまう。また、ネットワークの負荷を低減させるために、固定局を使用してバックホールデータのオフロードを行う場合も、同様に、設備コストが増加してしまう。
【０００５】
そこで、移動局を使用してバックホールデータのオフロードを行うことが考えられる。しかし、オフロードデータを転送中の移動局が、当該移動局と接続中の基地局のセル範囲外に移動した場合、当該オフロードデータが欠落する問題がある。
【０００６】
開示の技術は、上記に鑑みてなされたものであって、オフロードデータの欠落を防ぐことができる無線通信システム及び通信制御方法を提供することを目的とする。
【課題を解決するための手段】
【０００７】
本願の開示する無線通信システムは、一つの態様において、第１及び第２の基地局を含む複数の基地局と、第１及び第２の端末を含む複数の端末を有する。第１の基地局は、送受信制御部を有する。第１及び第２の端末は、転送処理部を有する。前記送受信制御部は、前記第１の基地局とコアネットワークとの間のバックホールを使用して送信されるデータの量が閾値以上であり、かつ、前記データを前記第２の基地局にオフロードできる場合、前記第１及び第２の基地局の両方に接続可能な前記第１の端末と、前記データを送受信する。前記第１の端末の転送処理部は、前記第１の基地局から受信された前記データを、第１の通信方式を使用して、前記第２の基地局に転送し、前記第２の基地局から受信された前記データを、前記第１の通信方式を使用して、前記第１の基地局に転送する。前記第１及び第２の基地局の両方に接続可能なエリアに存在する前記第２の端末の転送処理部は、前記第１の基地局と接続できないエリアに前記第１の端末が移動した場合、第２の通信方式を使用して、前記第１の端末から未転送の前記データを受信し、前記未転送のデータを、前記第１の通信方式を使用して、前記第１の基地局に転送する。
【発明の効果】
【０００８】
本願の開示する基地局の一つの態様によれば、オフロードデータの欠落を防ぐことができるという効果を奏する。
【図面の簡単な説明】
【０００９】
【図１】図１は、実施例の無線通信システムの一例を示す図である。
【図２】図２は、実施例の端末（ＤＯＷＵ）の一例を示すブロック図である。
【図３】図３は、実施例の端末（ＤＯＷＵ）同士のペアリングの一例を示す図である。
【図４】図４は、実施例の端末（ＤＯＷＵ）が移動した場合の転送方法の一例を示す図である。
【図５】図５は、実施例の基地局の一例を示すブロック図である。
【図６Ａ】図６Ａは、実施例の送信可能オフロードデータ量の決定方法の一例を示す図である。
【図６Ｂ】図６Ｂは、実施例の送信可能オフロードデータ量の決定方法の一例を示す図である。
【図７】図７は、実施例のＣＱＩ連動送信データ領域のサイズの推移の一例を示す図である。
【図８】図８は、実施例のメモリ内オフロードデータ転送用確保領域の使用方法の一例を示す図である。
【図９】図９は、実施例の通信制御処理の一例を示すシーケンス図である。
【図１０】図１０は、実施例のペアリング処理の一例を示すフローチャートである。
【図１１】図１１は、実施例の基地局１ａ（要求元）のオフロードデータ送受信処理の一例を示すフローチャートである。
【図１２Ａ】図１２Ａは、実施例の基地局から端末（ＤＯＷＵ）に割り当てられるＲＢ数の一例を示す図である。
【図１２Ｂ】図１２Ｂは、実施例の基地局の送信データ割合の一例を示す図である。
【図１３】図１３は、実施例の基地局１ｂ（要求先）のオフロードデータ送受信処理の一例を示すフローチャートである。
【図１４Ａ】図１４Ａは、実施例の端末（ＤＯＷＵ）のオフロード処理の一例を示すフローチャートである。
【図１４Ｂ】図１４Ｂは、実施例の端末（ＤＯＷＵ）の割込み処理１の一例を示すフローチャートである。
【図１４Ｃ】図１４Ｃは、実施例の端末（ＤＯＷＵ）の割込み処理２の一例を示すフローチャートである。
【図１５】図１５は、実施例の基地局のハードウェア構成の一例を示す図である。
【図１６】図１６は、実施例の端末（ＤＯＷＵ）のハードウェア構成の一例を示す図である。
【発明を実施するための形態】
【００１０】
以下に、本願の開示する無線通信システム及び通信制御方法の実施例を図面に基づいて詳細に説明する。なお、この実施例により開示技術が限定されるものではない。
【実施例】
【００１１】
＜無線通信システム＞
図１は、実施例の無線通信システムの一例を示す図である。無線通信システム１０は、図１に示すように、基地局１ａ、基地局１ｂ、端末１１ａ〜１１ｅ、端末１２ａ〜１２ｃ、バックホール１０１ａ、バックホール１０１ｂ及びコアネットワーク１００を有する。
【００１２】
基地局１ａは、基地局１ａと通信可能な範囲に存在する端末１１ａ〜１１ｄ、及び、端末１２ａ〜１２ｃと通信する。基地局１ａ及びコアネットワーク１００は、バックホール１０１ａを介して接続される。
【００１３】
基地局１ｂは、基地局１ｂと通信可能な範囲に存在する端末１１ｅ、及び、端末１２ａ〜１２ｃと通信する。基地局１ｂ及びコアネットワーク１００は、バックホール１０１ｂを介して接続される。
【００１４】
以下、基地局１ａ及び１ｂを区別しない場合は、単に基地局１という。同様に、バックホール１０１ａ及び１０１ｂを区別しない場合は、単にバックホール１０１という。
【００１５】
端末１１ａ〜１１ｅ、及び、端末１２ａ〜１２ｃは、例えばＬＴＥ（Long Term Evolution）等の通信方式（第１の通信方式）により、データを送受信する。
【００１６】
また、基地局１ａ及び１ｂの両方に接続可能なエリア１０２に存在する端末１２ａ〜１２ｃは、オフロードデータを送受信するＤＯＷＵ（Data Offload Wireless Unit）としても使用される。図１の例では、バックホール１０１ａの負荷がバックホール１０１ｂの負荷よりも高い。そのため、図１では、端末１２ｂが、ＤＯＷＵとして機能することにより、バックホール１０１ａの負荷を低減する例が示されている。
【００１７】
以下、端末１１ａ〜１１ｅを区別しない場合は、単に端末１１という。同様に、端末１２ａ〜１２ｃを区別しない場合は、単に端末１２という。また、ＤＯＷＵとして使用されている端末１１（１２）を、端末（ＤＯＷＵ）１２という。
【００１８】
＜端末＞
図２は、実施例の端末（ＤＯＷＵ）１２の一例を示すブロック図である。なお端末１１のブロック図も端末（ＤＯＷＵ）１２のブロック図と同様である。端末（ＤＯＷＵ）１２は、図２に示すように、アンテナ２１、無線通信部２２、信号処理部２３、位置情報送信処理部２４、ペアリング制御部２５及び転送処理部２６を有する。
【００１９】
無線通信部２２は、アンテナ２１を使用して基地局１との間でデータを送受信する。
【００２０】
信号処理部２３は、基地局１へ送信されるデータに変調処理等を行い、基地局１から受信されたデータに復調処理等を行う。例えば、信号処理部２３は、位置情報送信処理部２４から、端末（ＤＯＷＵ）１２の位置情報を受け付けると、当該位置情報に変調処理等を行う。
【００２１】
位置情報送信処理部２４は、基地局１へ送信される上述の位置情報を信号処理部２３に入力する。
【００２２】
ペアリング制御部２５は、Ｂｌｕｅｔｏｏｔｈ（登録商標）等の通信方式（第２の通信方式）を使用して、端末（ＤＯＷＵ）１２をペアリングする。
【００２３】
図３は、実施例の端末（ＤＯＷＵ）１２同士のペアリングの一例を示す図である。図３の例は、端末（ＤＯＷＵ）１２ａ〜１２ｃが互いにペアリングされている場合を示す。ペアリングが行われることにより、各端末（ＤＯＷＵ）１２のＣＱＩ（Channel Quality Indicator）値から算出される送信データ領域のサイズ等の情報を共有することが可能となる。ＣＱＩ値は、無線通信の品質を示す品質情報の一例である。端末（ＤＯＷＵ）１２のＣＱＩ値は、当該端末（ＤＯＷＵ）１２との接続先毎に、端末（ＤＯＷＵ）１２により算出される。
【００２４】
また、送信データ領域のサイズは、例えば通信単位領域により表される。通信単位領域は、例えば無線リソースブロック数（ＲＢ数）により表される。送信データ領域のサイズ（ＲＢ数）は、基地局１の信号処理部３３及び算出部３９（図５参照）により、送信データの種類毎に算出される。なお基地局１のブロック図、及び、基地局１により算出される送信データ領域の詳細は、後述する。
【００２５】
また、図３の例は、端末（ＤＯＷＵ）１２ａが、経路１１１を使用して基地局１ａと通信し、経路１２１を使用して基地局１ｂと通信する場合を示す。また、図３の例は、端末（ＤＯＷＵ）１２ｂが、経路１１２を使用して基地局１ａと通信し、経路１２２を使用して基地局１ｂと通信する場合を示す。また、図３の例は、端末（ＤＯＷＵ）１２ｃが、経路１１３を使用して基地局１ａと通信し、経路１２３を使用して基地局１ｂと通信する場合を示す。
【００２６】
図２の説明に戻る。転送処理部２６は、オフロードされるデータの転送処理を行う。例えば上述の図３の例では、端末（ＤＯＷＵ）１２ｂの転送処理部２６は、基地局１ａから受信されたデータを、ＬＴＥ等の通信方式を使用して、基地局１ｂに転送する。また、端末（ＤＯＷＵ）１２ｂの転送処理部２６は、基地局１ｂから受信されたデータを、ＬＴＥ等の通信方式を使用して、基地局１ａに転送する。
【００２７】
また、転送処理部２６は、自端末とペアリングされた端末（ＤＯＷＵ）１２が、オフロードデータの転送処理を継続できないエリアに移動した場合、当該端末（ＤＯＷＵ）１２のメモリの残された未転送のオフロードデータを転送する。
【００２８】
なお上述の図２のブロック図は一例であり、端末（ＤＯＷＵ）１２のブロック構成は変更されてもよい。例えば信号処理部２３及び転送処理部２６を１つのブロックにしてもよい。
【００２９】
図４は、実施例の端末（ＤＯＷＵ）１２が移動した場合の転送方法の一例を示す図である。図４の例では、基地局１ａ及び１ｂの両方に接続可能なエリア１０２に存在する端末（ＤＯＷＵ）１２ｃが、基地局１ａと接続できないエリアに移動した端末（ＤＯＷＵ）１２ｂから、Ｂｌｕｅｔｏｏｔｈ（登録商標）等の通信方式を使用して、端末（ＤＯＷＵ）１２ｂに蓄積されている未転送のオフロードデータを受信する。そして端末（ＤＯＷＵ）１２ｃが、端末（ＤＯＷＵ）１２ｂから受信された未転送のデータを、ＬＴＥ等の通信方式を使用して、基地局１ａに転送する。
【００３０】
これにより、基地局１ａと基地局１ｂの間でデータオフロード中の端末（ＤＯＷＵ）１２ｂが、基地局１ａのセル範囲外に移動することにより、基地局１ａと通信断となってしまう場合でも、基地局１ａで処理中のオフロードデータの欠落を防ぐことができる。
【００３１】
＜基地局＞
図５は、実施例の基地局１の一例を示すブロック図である。基地局１は、図５に示すように、アンテナ３１、無線通信部３２、信号処理部３３、通信制御部３４、演算部３５、メモリ部３６、位置情報受信処理部３７、オフロードデータ送受信制御部３８及び算出部３９を有する。
【００３２】
無線通信部３２は、アンテナ３１を使用して端末１１及び端末（ＤＯＷＵ）１２とデータを送受信する。
【００３３】
信号処理部３３は、バックホール１０１から送信されたデータを受信し、受信されたデータに変調処理等を行い、当該データを無線通信部３２へ入力する。
【００３４】
また、信号処理部３３は、無線通信部３２から受信したデータに復調処理等を行うことにより抽出されたデータをバックホール１０１へ送信する。また、信号処理部３３は、抽出されたデータに含まれる端末１１（１２）の位置情報を位置情報受信処理部３７に入力する。
【００３５】
また、信号処理部３３は、端末（ＤＯＷＵ）１２のＣＱＩ値から最適な送信データ領域のサイズを算出し、当該送信データ領域のサイズを、オフロードデータ送受信制御部３８に入力する。
【００３６】
また、信号処理部３３は、送受信されるデータの量から通信速度を算出し、当該速度情報を通信制御部３４へ入力する。
【００３７】
通信制御部３４は、演算部３５とメモリ部３６と連携して、通信を制御する。メモリ部３６は、例えば単位時間毎に得られた速度情報を蓄積する。演算部３５は、単位時間毎の速度情報に応じた通信方式の判断を実施することにより、端末１１（１２）との通信制御情報を算出し、その都度、当該通信制御情報を通信制御部３４に入力する。通信制御部３４は、演算部３５から、通信制御情報を受け付けると、当該通信制御情報を信号処理部３３に入力する。
【００３８】
位置情報受信処理部３７は、信号処理部３３から上述の位置情報を受け付けると、当該位置情報の受信処理を行う。
【００３９】
オフロードデータ送受信制御部３８は、バックホール１０１のトラフィックが増大してしまった際、バックホール１０１のトラフィックにマージンがある他の基地局１へ端末（ＤＯＷＵ）１２を経由して、オフロード伝送を行う。例えば上述の図１の例では、オフロードデータ送受信制御部３８は、基地局１ａとコアネットワーク１００との間のバックホール１０１ａを使用して送信されるデータの量が閾値以上であり、かつ、当該データを基地局１ｂにオフロードできる場合、基地局１ａ及び１ｂの両方に接続可能な端末（ＤＯＷＵ）１２ｂと、当該データを送受信する。
【００４０】
オフロードデータ送受信制御部３８は、オフロード伝送のための送受信データを信号処理部３３と共に制御する。オフロードデータ送受信制御部３８は、例えば信号処理部３３から送信データ領域のサイズ（ＲＢ数）を受け付けると、当該送信データ領域のサイズ（ＲＢ数）を算出部３９に入力する。
【００４１】
算出部３９は、送信データ領域のサイズに応じたオフロードデータの制御を信号処理部３３と共に制御する。算出部３９は、例えばオフロードデータ送受信制御部３８から、信号処理部３３により算出された送信データ領域のサイズ（ＲＢ数）を受け付けると、当該送信データ領域のサイズ（ＲＢ数）から、オフロードデータの送信データ領域のサイズを算出する。
【００４２】
なお実施例では、オフロードデータの送信データ領域のサイズをＣＱＩ値に連動させる場合について説明するが、オフロードデータの送信データ領域のサイズは、ＣＱＩ値以外の通信の品質情報に連動させて算出されてもよい。
【００４３】
また上述の図５のブロック図は一例であり、基地局１のブロック構成は変更されてもよい。例えばオフロードデータ送受信制御部３８及び算出部３９を１つのブロックにしてもよい。
【００４４】
＜オフロードデータの送信データ領域のサイズの算出例＞
図６Ａ及び図６Ｂは、実施例の送信可能オフロードデータ量の決定方法の一例を示す図である。端末（ＤＯＷＵ）１２が、基地局１ａと基地局１ｂとの間でデータオフロードを行う際、基地局１ａの無線通信部３２は、ハンドオーバー処理の仕組みを利用して、端末（ＤＯＷＵ）１２からＣＱＩ値（ＣＱＩ−１）を受信する。同様に、基地局１ｂの無線通信部３２は、ハンドオーバー処理の仕組みを利用して、端末（ＤＯＷＵ）１２からＣＱＩ値（ＣＱＩ−２）を受信する。
【００４５】
ＣＱＩ値は、基地局１の間、及び、基地局１と上位階層の装置との間をつなぐ回線１３１を使用して送受信されることにより、共有される。回線１３１は、例えばＸ２リンク及びＳ１リンク等である。ＣＱＩ値が共有されることにより、基地局１ａ及び１ｂは、データオフロードに使用される端末（ＤＯＷＵ）１２の電波環境の状態を把握することができる。
【００４６】
基地局１ａ及び１ｂの算出部３９は、端末（ＤＯＷＵ）１２のＣＱＩ−１及びＣＱＩ−２のうち、より低い方のＣＱＩ値に基づいて、基地局１ａと基地局１ｂとの間で送信可能なオフロードデータの送信データ領域のサイズを算出する。これにより、端末（ＤＯＷＵ）１２の内蔵メモリのオーバーフローを防ぐ。なお、オフロードデータの送信データ領域のサイズは、基地局１ａ及び１ｂにより、ＣＱＩ値に連動した形で常時、更新される。
【００４７】
図６Ａの例では、ＣＱＩ−１＞ＣＱＩ−２であるので、基地局１ｂと端末（ＤＯＷＵ）１２との間のＣＱＩ値（ＣＱＩ−２）に基づいて、オフロードデータの送信データ領域のサイズが算出される。一方、図６Ｂの例では、ＣＱＩ−１＜ＣＱＩ−２であるので、基地局１ａと端末（ＤＯＷＵ）１２との間のＣＱＩ値（ＣＱＩ−１）に基づいて、オフロードデータの送信データ領域のサイズが算出される。
【００４８】
＜ＣＱＩ連動送信データサイズ＞
図７は、実施例のＣＱＩ連動送信データ領域１４１のサイズの推移の一例を示す図である。実施例のＣＱＩ連動送信データ領域１４１は、オフロードデータの送信データ領域１４２、及び、ユーザデータの送信データ領域１４５を含む。オフロードデータの送信データ領域１４２のサイズは、上述の図６Ａ及び図６Ｂで説明した方法により決定される。ユーザデータの送信データ領域１４５は、例えば通話データ等の送信データ領域のサイズである。
【００４９】
オフロードデータの送信データ領域１４２は、端末（ＤＯＷＵ）１２のオフロードデータの送信データ領域１４３と、他の端末（ＤＯＷＵ）１２のオフロードデータの送信データ領域１４４とを含む。
【００５０】
端末（ＤＯＷＵ）１２のオフロードデータの送信データ領域１４３は、ＬＴＥ等の通信方式を使用して受信されたオフロードデータが保持される領域である。
【００５１】
他の端末（ＤＯＷＵ）１２のオフロードデータの送信データ領域１４４は、他の端末（ＤＯＷＵ）１２のメモリに蓄積されていた未転送のオフロードデータが保持される領域（メモリ内オフロードデータ転送用確保領域）である。端末（ＤＯＷＵ）１２は、他の端末（ＤＯＷＵ）１２のメモリに蓄積されていた未転送のオフロードデータを、Ｂｌｕｅｔｏｏｔｈ（登録商標）等の通信方式を使用して受信する。
【００５２】
オフロードデータの送信データ領域１４２の割り当てについて、例えばオフロードデータの送信データ領域１４２を示すＲＢ数が２０である場合を例にして具体的に説明する。この場合、例えば２０×Ａ％のＲＢ数が、端末（ＤＯＷＵ）１２のオフロードデータの送信データ領域１４３のサイズとして算出され、２０×（１００−Ａ）％のＲＢ数が、他の端末（ＤＯＷＵ）１２のオフロードデータの送信データ領域１４４のサイズとして算出される。
【００５３】
ＣＱＩ連動送信データ領域１４１のサイズは、端末（ＤＯＷＵ）１２の優先基地局間（ユーザデータをやり取りする基地局）とのＣＱＩ値から算出される。図６Ａの例では、端末（ＤＯＷＵ）１２の優先基地局は、基地局１ａなので、ＣＱＩ連動送信データ領域１４１のサイズは、ＣＱＩ−１から算出される。一方、図６Ｂの例では、端末（ＤＯＷＵ）１２の優先基地局は、基地局１ｂなので、ＣＱＩ連動送信データ１４１のサイズは、ＣＱＩ−２から算出される。
【００５４】
ユーザデータの送信データ領域１４５のサイズは、例えば、（ＣＱＩ連動送信データ領域１４１のサイズ）−（オフロードデータの送信データ領域１４２のサイズ）により算出される。この場合、ユーザデータの送信データ領域１４５のサイズは、ＣＱＩ連動送信データ領域１４１のサイズ、及び、オフロードデータの送信データ領域１４２のサイズから定まる。
【００５５】
ＣＱＩ連動送信データ領域１４１のサイズ、及び、ユーザデータの送信データ領域１４５のサイズは、例えば信号処理部３３により算出される。オフロードデータの送信データ領域１４２のサイズは、例えば算出部３９により算出される。
【００５６】
上述のＣＱＩ連動送信データ領域１４１のサイズに従い、基地局１は端末（ＤＯＷＵ）１２へデータを送信し、端末（ＤＯＷＵ）１２は他方の基地局１へ受信したオフロードデータを送信する。なお、基地局１は、端末（ＤＯＷＵ）１２から単位時間毎に報告されるＣＱＩ値に連動した形で、ＣＱＩ連動送信データ領域１４１のサイズ、及び、オフロードデータの送信データ領域１４２のサイズを制御するとともに、他の端末（ＤＯＷＵ）１２のオフロードデータの送信データ領域１４４として予め指定された無線リソースブロック情報を端末（ＤＯＷＵ）１２へ送信する。
【００５７】
図８は、実施例のメモリ内オフロードデータ転送用確保領域の使用方法の一例を示す図である。端末（ＤＯＷＵ）１２ｂと基地局１ａとの間で通信断が発生した場合、端末（ＤＯＷＵ）１２ｂのメモリ内の未送信のオフロードデータ１４４ａは、Ｂｌｕｅｔｏｏｔｈ（登録商標）等の通信方式により、端末（ＤＯＷＵ）１２ｃへ転送される。そして、オフロードデータ１４４ａは、端末（ＤＯＷＵ）１２ｃに予め確保されていた他の端末（ＤＯＷＵ）１２のオフロードデータの送信データ領域１４４（メモリ内オフロードデータ転送確保領域）に含まれる領域１４５に割り当てられる。これにより、オフロードデータ１４４ａは、端末（ＤＯＷＵ）１２ｃにより基地局１ｂに送信される。なお、メモリ内オフロードデータ転送確保領域へのオフロードデータの割り当ては、予め基地局１から指定された無線リソースブロック情報を基に行われる。
【００５８】
＜無線通信システムの動作＞
次に、実施例の無線通信システム１０の動作について説明する。
【００５９】
図９は、実施例の通信制御処理の一例を示すシーケンス図である。はじめに、基地局１ａの無線通信部３２が、上位システムからコアネットワーク１００を介してバックホール１０１ａのトラフィックが閾値以上になったことを示すトラフィックオーバー通知を受信する（ステップＳ１）。次に、基地局１ａの無線通信部３２が、バックホール１０１ａを使用して送信されるデータのオフロード要求を基地局１ｂに送信する（ステップＳ２）。
【００６０】
次に、基地局１ｂのオフロードデータ送受信制御部３８が、バックホール１０１ｂのトラフィックを確認する（ステップＳ３）。バックホール１０１ｂのトラフィックが閾値以下の場合、基地局１ｂの無線通信部３２が、オフロードの承認応答を基地局１ａに送信する（ステップＳ４）。
【００６１】
次に、基地局１ａのオフロードデータ送受信制御部３８が、基地局１ａ及び１ｂの両方に接続可能な端末（ＤＯＷＵ）１２ｃと、接続局（基地局１ａ及び１ｂ）との間のＣＱＩ値を確認する（ステップＳ５）。ステップＳ５の処理により確認された両方のＣＱＩ値が閾値以上の場合、基地局１ａのオフロードデータ送受信制御部３８が、無線通信部３２の無線通信により、端末（ＤＯＷＵ）１２ｃのオフロードフラグの設定をＯＮにする（ステップＳ６）。
【００６２】
同様に、基地局１ａのオフロードデータ送受信制御部３８が、基地局１ａ及び１ｂの両方に接続可能な端末（ＤＯＷＵ）１２ｂと、接続局（基地局１ａ及び１ｂ）との間のＣＱＩ値を確認する（ステップＳ７）。ステップＳ７の処理により確認された両方のＣＱＩ値が閾値以上の場合、基地局１ａのオフロードデータ送受信制御部３８が、無線通信部３２の無線通信により、端末（ＤＯＷＵ）１２ｂのオフロードフラグの設定をＯＮにする（ステップＳ８）。
【００６３】
次に、基地局１ａ及び１ｂのオフロードデータ送受信制御部３８が、端末１１ａにより送受信されるデータを、ＬＴＥ等の通信方式を使用してオフロードするオフロードデータ送受信制御処理を開始する（ステップＳ９）。基地局１ａ（要求元）のオフロードデータ送受信制御処理の詳細については、図１１を参照して後述する。また、基地局１ｂ（要求先）のオフロードデータ送受信制御処理の詳細については、図１３を参照して後述する。
【００６４】
次に、端末（ＤＯＷＵ）１２ｃのペアリング制御部２５が、ペアリング処理を行い（ステップＳ１０）、端末（ＤＯＷＵ）１２ｂのペアリング制御部２５が、ペアリング処理を行う（ステップＳ１１）。ステップＳ１０及びステップＳ１１の処理により、端末（ＤＯＷＵ）１２ｃ、及び、端末（ＤＯＷＵ）１２ｂがペアリングされる（ステップＳ１２）。ペアリング処理の詳細は、図１０を参照して後述する。
【００６５】
次に、端末（ＤＯＷＵ）１２ｂが、図４に示されるように、基地局１ａのエリア外へ移動する（ステップＳ１３）。次に、端末（ＤＯＷＵ）１２ｂの転送処理部２６が、基地局１ａに対するデータ転送の不可通知を基地局１ｂに送信する（ステップＳ１４）。次に、端末（ＤＯＷＵ）１２ｂの転送処理部２６が、端末（ＤＯＷＵ）１２ｂのメモリに残された基地局１ｂ宛てのオフロードデータを、ＬＴＥ等の通信方式を使用して、経路１２２（図４参照）により基地局１ｂに転送する（ステップＳ１５）。次に、端末（ＤＯＷＵ）１２ｂの転送処理部２６が、ＤＯＷＵの機能を終了する（ステップＳ１６）。次に、端末（ＤＯＷＵ）１２ｂのペアリング制御部２５が、オフロードデータの転送要求を送信し、端末（ＤＯＷＵ）１２ｂのメモリに残された基地局１ａ宛てのオフロードデータを、Ｂｌｕｅｔｏｏｔｈ（登録商標）等の通信方式を使用して端末（ＤＯＷＵ）１２ｃに転送する（ステップＳ１７）。
【００６６】
次に、基地局１ｂのオフロードデータ送受信制御部３８が、基地局１ａ宛てのオフロードデータを、ＬＴＥ等の通信方式を使用して、経路１２３（図４参照）により、基地局１ｃに転送する（ステップＳ１９）。
【００６７】
次に、端末（ＤＯＷＵ）１２ｃの転送処理部２６は、ステップＳ１７の処理により転送されたオフロードデータと、ステップＳ１９の処理により転送されたオフロードデータとを結合する（ステップＳ２０）。次に、端末（ＤＯＷＵ）１２ｃの転送処理部２６は、ステップＳ２０の処理により結合されたオフロードデータを、ＬＴＥ等の通信方式を使用して、経路１１３（図４参照）により基地局１ａに転送する（ステップＳ２１）。
【００６８】
次に、基地局１ａのオフロードデータ送受信制御部３８は、オフロードデータ送受信制御処理により、ステップＳ２１の処理により転送されたオフロードデータを、端末１１ａに転送する（ステップＳ２２）。
【００６９】
図１０は、実施例のペアリング処理の一例を示すフローチャートである。図１０のペアリング処理は、オフロードフラグがＯＮに設定された端末（ＤＯＷＵ）１２のペアリング制御部２５により行われる。ペアリングとは、基地局１と端末（ＤＯＷＵ）１２とが接続断となった場合に、端末（ＤＯＷＵ）１２のメモリ内に残るオフロードデータの転送先の候補となる端末（ＤＯＷＵ）１２との接続である。
【００７０】
はじめに、ペアリング制御部２５が、Ｂｌｕｅｔｏｏｔｈ（登録商標）等の通信方式を使用して、ペアリング候補の端末（ＤＯＷＵ）１２を検索する（ステップＳ３１）。例えば、オフロードフラグがＯＮである場合に、Ｂｌｕｅｔｏｏｔｈ（登録商標）等の通信方式によって検索されるように端末（ＤＯＷＵ）１２を制御することにより、オフロードフラグがＯＮの端末（ＤＯＷＵ）１２を検索することができる。
【００７１】
次に、ペアリング制御部２５は、ステップＳ３１の処理により検索された端末（ＤＯＷＵ）１２に、ペアリング要求を送信する（ステップＳ３２）。
【００７２】
次に、ペアリング制御部２５は、ｎ（ｎは１以上の整数）台の他の端末（ＤＯＷＵ）１２から、ペアリングＯＫを示す応答信号を含む応答を受信する（ステップＳ３３）。次に、ペアリング制御部２５は、ペアリングＯＫを示す応答信号を含む応答を送信したｎ台の端末（ＤＯＷＵ）１２とペアリングする（ステップＳ３４）。これにより、オフロードフラグがＯＮとなっている端末（ＤＯＷＵ）１２同士でペアリングすることができる。また、各端末（ＤＯＷＵ）１２は、１台に限られず、複数台の端末（ＤＯＷＵ）１２とペアリングすることができる。
【００７３】
次に、ペアリング制御部２５は、ｎ台の端末（ＤＯＷＵ）１２とペアリングすることにより可能になった無線通信のＣＱＩ値を計算する（ステップＳ３５）。次に、ペアリング制御部２５は、ステップＳ３５の処理により計算されたＣＱＩ値が高い順に、転送先優先度をソートする（ステップＳ３６）。
【００７４】
次に、他の端末（ＤＯＷＵ）１２により送信されたペアリング要求が受信された場合について説明する。ペアリング制御部２５は、他の端末（ＤＯＷＵ）１２から、ペアリング要求を受信したか否かを判定する（ステップＳ３７）。ペアリング要求を受信していない場合（ステップＳ３７，Ｎｏ）、処理はステップＳ４１に進む。
【００７５】
ペアリング要求を受信した場合（ステップＳ３７，Ｙｅｓ）、当該ペアリング要求を示す受信信号からＣＱＩ値を計算し、ペアリング要求の送信元の端末（ＤＯＷＵ）１２とのＣＱＩ値が閾値以上であるか否かを判定する（ステップＳ３８）。
【００７６】
ＣＱＩ値が閾値以上の場合（ステップＳ３８，Ｙｅｓ）、ペアリング制御部２５は、ペアリングＯＫを示す応答信号を送信し、ペアリングする（ステップＳ３９）。つまり、ペアリングＯＫの応答信号を受信した時点で、ペアリング要求元の端末（ＤＯＷＵ）１２のペアリング制御部２５は、ペアリング要求先の端末（ＤＯＷＵ）１２とのＣＱＩ値が閾値を超えていると判断できる。なお、ペアリングＯＫの応答信号を送信するための条件として、端末（ＤＯＷＵ）１２のユーザデータ送受信データ量に関する条件が含まれていてもよい。
【００７７】
ＣＱＩ値が閾値以上でない場合（ステップＳ３８，Ｎｏ）、ペアリング制御部２５は、ペアリングＮＧを示す応答信号を送信し、ペアリングしない（ステップＳ４０）。
【００７８】
次に、ペアリング制御部２５は、ペアリング台数がｍ（ｍは１以上の整数）台以下であるか否かを判定する（ステップＳ４１）。ｍは、ペアリング可能な端末（ＤＯＷＵ）１２の最大数を示す。ペアリング台数がｍ台以下の場合（ステップＳ４１，Ｙｅｓ）、処理はステップＳ３１に戻ることにより、ペアリング可能な端末（ＤＯＷＵ）１２の検索を継続する。ペアリング台数がｍ台以下でない場合（ステップＳ４１，Ｎｏ）、処理はステップＳ３５に戻ることにより、ペアリングされた端末（ＤＯＷＵ）１２とのＣＱＩ値を定期的に計算する。
【００７９】
図１１は、実施例の基地局１ａ（要求元）のオフロードデータ送受信処理の一例を示すフローチャートである。はじめに、オフロードデータ送受信制御部３８が、端末（ＤＯＷＵ）１２が基地局１ｂと接続可能であるか否かを判定する（ステップＳ５１）。基地局１ｂと接続可能でない場合（ステップＳ５１，Ｎｏ）、オフロードデータ送受信制御部３８は、端末（ＤＯＷＵ）１２のオフロードフラグの設定をＯＦＦにすることにより、当該端末（ＤＯＷＵ）１２をＤＯＷＵ対象外にする（ステップＳ６１）。次に、処理はステップＳ６２に進む。
【００８０】
基地局１ｂと接続可能である場合（ステップＳ５１，Ｙｅｓ）、オフロードデータ送受信制御部３８が、基地局１ａとのＣＱＩ値であるＣＱＩ−１が閾値より大きいか否かを判定する（ステップＳ５２）。ＣＱＩ−１が閾値以下の場合（ステップＳ５２，Ｎｏ）、オフロードデータ送受信制御部３８は、端末（ＤＯＷＵ）１２のオフロードフラグの設定をＯＦＦにすることにより、当該端末（ＤＯＷＵ）１２をＤＯＷＵ対象外にする（ステップＳ６１）。次に、処理はステップＳ６２に進む。
【００８１】
ＣＱＩ−１が閾値より大きい場合（ステップＳ５２，Ｙｅｓ）、オフロードデータ送受信制御部３８が、基地局１ｂとのＣＱＩ値であるＣＱＩ−２が閾値より大きいか否かを判定する（ステップＳ５３）。ＣＱＩ−２が閾値以下の場合（ステップＳ５３，Ｎｏ）、オフロードデータ送受信制御部３８は、端末（ＤＯＷＵ）１２のオフロードフラグの設定をＯＦＦにすることにより、当該端末（ＤＯＷＵ）１２をＤＯＷＵ対象外にする（ステップＳ６１）。次に、処理はステップＳ６２に進む。
【００８２】
ＣＱＩ−２が閾値より大きい場合（ステップＳ５３，Ｙｅｓ）、オフロードデータ送受信制御部３８が、端末（ＤＯＷＵ）１２のオフロードフラグの設定をＯＮにすることにより、当該端末（ＤＯＷＵ）１２をＤＯＷＵ対象にする（ステップＳ５４）。
【００８３】
次に、算出部３９が、ＣＱＩ−１＜ＣＱＩ−２であるか否かを判定する（ステップＳ５５）。ＣＱＩ−１＜ＣＱＩ−２である場合（ステップＳ５５，Ｙｅｓ）、算出部３９は、ＣＱＩｍｉｎ＝ＣＱＩ−１とする（ステップＳ５６）。ＣＱＩ−１≧ＣＱＩ−２である場合（ステップＳ５５、Ｎｏ）、算出部３９は、ＣＱＩｍｉｎ＝ＣＱＩ−２とする（ステップＳ５７）。
【００８４】
次に、算出部３９が、ＣＱＩｍｉｎによりオフロードデータの送信データ量を算出する（ステップＳ５８）。
【００８５】
次に、オフロードデータ送受信制御部３８は、無線通信部３２の無線通信により、指定ＲＢ情報を端末（ＤＯＷＵ）１２に通知する（ステップＳ５９）。指定ＲＢ情報は、オフロードデータの送信データ領域１４４として割り当てられるＲＢを指定する情報、及び、メモリ内オフロードデータ転送用確保領域（送信データ領域１４３）として割り当てられるＲＢを指定する情報を含む。送信データ量の算出例及びＲＢの割当例については、図１２Ａ及び図１２Ｂを参照して後述する。
【００８６】
次に、信号処理部３３及びオフロードデータ送受信制御部３８が、無線通信部３２の無線通信により、ユーザデータとオフロードデータとを端末（ＤＯＷＵ）１２に送信する（ステップＳ６０）。
【００８７】
次に、オフロードデータ送受信制御部３８は、基地局１ａのエリア内の全端末（ＤＯＷＵ）１２について確認したか否かを判定する（ステップＳ６２）。基地局１ａのエリア内の全端末（ＤＯＷＵ）１２について確認していない場合（ステップＳ６２，Ｎｏ）、処理はステップＳ５１に戻る。基地局１ａのエリア内の全端末（ＤＯＷＵ）１２について確認した場合（ステップＳ６２，Ｙｅｓ）、処理は終了する。
【００８８】
図１２Ａは、実施例の基地局１から端末（ＤＯＷＵ）１２に割り当てられるＲＢ数の一例を示す図である。端末（ＤＯＷＵ）１２と基地局１ａとの間のＣＱＩ値であるＣＱＩ−１が８であり、端末（ＤＯＷＵ）１２と基地局１ａとの間のＣＱＩ値であるＣＱＩ−２が２である場合を例にして説明する。この場合、ＣＱＩ−１＞ＣＱＩ−２であるので、端末（ＤＯＷＵ）１２の優先接続基地局は、基地局１ａとなる。基地局１ａ及び１ｂと通信可能な領域にある端末（ＤＯＷＵ）１２のＣＱＩ値（ＣＱＩ−１及びＣＱＩ−２）は、ハンドオーバーに必要なデータとして、基地局１ａ及び１ｂの間で共有される。
【００８９】
ＣＱＩ−１＝８、ＣＱＩ−２＝２であるので、各基地局１から端末（ＤＯＷＵ）１２に割り当てられる無線リソースブロック数は、例えば以下のようになる。
【００９０】
ＣＱＩ−１から算出される送信データ量（ＲＢ数）１５１＝８×１０＝８０
ＣＱＩ―２から算出される送信データ量（ＲＢ数）１５２＝２×１０＝２０
【００９１】
算出部は、より少ない送信データ量１５２により、オフロードデータの送信データ量を算出する。すなわち、送信データ量１５２は、上述の図７で説明した送信データ領域１４２に保持されるオフロードデータの送信データ量を示す。また、送信データ量１５１は、上述の図７で説明したＣＱＩ連動送信データ領域１４１に保持される送信データの量を示す。
【００９２】
図１２Ｂは、実施例の基地局１の送信データ割合の一例を示す図である。図１２Ｂの例は、ＣＱＩ連動送信データ領域１４１のＲＢ数が８０であり、オフロードデータの送信データ領域１４２のＲＢ数が２０である場合を示す。図１２Ｂの例では、オフロードデータの送信データ領域１４２の８０％（１６ＲＢ）が、端末（ＤＯＷＵ）１２（自端末）のオフロードデータの送信データ領域１４３に割り当てられている。また、図１２Ｂの例では、オフロードデータの送信データ領域１４２の２０％（４ＲＢ）が、他の端末（ＤＯＷＵ）１２のオフロードデータの送信データ領域１４４（メモリ内オフロードデータ転送確保領域）に割り当てられている。なお、通話データ等のユーザデータの送信データ領域１４５は、優先接続基地局である基地局１ａとの間の送信データに含まれる。すなわち、基地局１ｂ側との間の送信データには、ユーザデータの送信データ領域１４５は含まれない。
【００９３】
図１３は、実施例の基地局１ｂ（要求先）のオフロードデータ送受信処理の一例を示すフローチャートである。はじめに、オフロードデータ送受信制御部３８が、無線通信部３２の無線通信により、端末（ＤＯＷＵ）１２のオフロードフラグがＯＮになっているか否かを判定する（ステップＳ７１）。オフロードフラグがＯＮになっていない場合（ステップＳ７１、Ｎｏ）、処理はステップＳ７８に進む。
【００９４】
オフロードフラグがＯＮになっている場合（ステップＳ７１、Ｙｅｓ）、算出部３９が、ＣＱＩ−１＜ＣＱＩ−２であるか否かを判定する（ステップＳ７２）。ＣＱＩ−１＜ＣＱＩ−２である場合（ステップＳ７２、Ｙｅｓ）、算出部３９は、ＣＱＩｍｉｎ＝ＣＱＩ−１とする（ステップＳ７３）。ＣＱＩ−１≧ＣＱＩ−２である場合（ステップＳ７２、Ｎｏ）、算出部３９は、ＣＱＩｍｉｎ＝ＣＱＩ−２とする（ステップＳ７４）。次に、算出部３９が、ＣＱＩｍｉｎによりオフロードデータの送信データ量を算出する（ステップＳ７５）。
【００９５】
次に、オフロードデータ送受信制御部３８が、無線通信部３２の無線通信により、指定ＲＢ情報を端末（ＤＯＷＵ）１２に通知する（ステップＳ７６）。指定ＲＢ情報は、オフロードデータの送信データ領域１４４として割り当てられるＲＢを指定する情報、及び、メモリ内オフロードデータ転送用確保領域（送信データ領域１４３）として割り当てられるＲＢを指定する情報を含む（図１２Ｂ参照）。
【００９６】
次に、信号処理部３３が、通話等の通信が行われている場合、無線通信部３２の無線通信によりユーザデータを送信する（ステップＳ７７）。なお、ユーザデータの送信データ領域１４５のサイズは、ＣＱＩ連動送信データ領域１４１のサイズから、オフロードデータの送信データ領域１４２のサイズを引いた値である（図１２Ｂ参照）。
【００９７】
次に、オフロードデータ送受信制御部３８は、基地局１ｂのエリア内の全端末（ＤＯＷＵ）１２について確認したか否かを判定する（ステップＳ７８）。基地局１ａのエリア内の全端末（ＤＯＷＵ）１２について確認していない場合（ステップＳ７８，Ｎｏ）、処理はステップＳ７１に戻る。基地局１ｂのエリア内の全端末（ＤＯＷＵ）１２について確認した場合（ステップＳ７８，Ｙｅｓ）、処理は終了する。
【００９８】
図１４Ａは、実施例の端末（ＤＯＷＵ）１２のオフロード処理の一例を示すフローチャートである。はじめに、信号処理部２３が、オフロードフラグがＯＮに設定されているか否かを判定する（ステップＳ９１）。
【００９９】
オフロードフラグがＯＮに設定されていない場合（ステップＳ９１，Ｎｏ）、信号処理部２３が、通話データ等のユーザデータを送受信する通常送受信処理を行う（ステップＳ９７）。次に、処理はステップＳ９８に進む。
【０１００】
オフロードフラグがＯＮに設定されている場合（ステップＳ９１，Ｙｅｓ）、信号処理部２３が、データの種類を判定する（ステップＳ９２）。
【０１０１】
データの種類がユーザデータの場合（ステップＳ９２，ユーザデータ）、信号処理部２３が、通話データ等のユーザデータを送受信する通常送受信処理を行う（ステップＳ９７）。次に、処理はステップＳ９８に進む。
【０１０２】
データの種類がオフロードデータの場合（ステップＳ９２，オフロードデータ）、転送処理部２６が、オフロード要求の要求元の基地局１ａから、上述の指定ＲＢ情報を取得する（ステップＳ９３）。次に、転送処理部２６は、ステップＳ９３の処理により取得された指定ＲＢ情報に従って、基地局１ａから受信されたオフロードデータを一旦、端末（ＤＯＷＵ）１２のメモリに格納する（ステップＳ９４）。
【０１０３】
次に、転送処理部２６は、オフロード要求の送信先の基地局１ｂから、上述の指定ＲＢ情報を取得する（ステップＳ９５）。次に、転送処理部２６は、ステップＳ９５の処理により取得された指定ＲＢ情報に従って、オフロードデータを基地局１ｂへ送信する（ステップＳ９６）。
【０１０４】
次に、ペアリング制御部２５が、転送先の候補の端末（ＤＯＷＵ）１２と自端末との間のＣＱＩ値が高い順に、転送先優先度をソートする（ステップＳ９８）。次に、処理はステップＳ９１に戻る。
【０１０５】
端末（ＤＯＷＵ）１２は、上述の図１４Ａのオフロード処理の間、割込み処理１及び割込み処理２を受け付ける。割込み処理１は、端末（ＤＯＷＵ）１２が基地局１ａまたは基地局１ｂのエリア外へ移動した場合に発生する割込みである。割込み処理２は、ペアリング相手の端末（ＤＯＷＵ）１２から、メモリ内オフロードデータ転送要求を受信した場合に発生する割込みである。
【０１０６】
図１４Ｂは、実施例の端末（ＤＯＷＵ）１２の割込み処理１の一例を示すフローチャートである。図１４Ｂの説明では、端末（ＤＯＷＵ）１２ｂが、基地局１ａのエリア外に移動した場合（図４参照）を例にして説明する。はじめに、ペアリング制御部２５が、オフロードデータの転送要求を、Ｂｌｕｅｔｏｏｔｈ（登録商標）等の通信方式により送信する（ステップＳ１１１）。オフロードデータの転送要求の送信先は、例えば以下の条件（１）及び（２）の少なくとも一方を使用して選択される。
【０１０７】
（１）ペアリングされた端末（ＤＯＷＵ）１２ｂとの通信のＣＱＩ値が最良または閾値以上であること。
（２）メモリ内オフロードデータの転送先である基地局１ａとの通信のＣＱＩ値が最良または閾値以上であること。
【０１０８】
具体的には、ペアリング制御部２５は、例えばペアリングされた端末（ＤＯＷＵ）１２ｂとの通信のＣＱＩ値が閾値以上であり、かつ、メモリ内オフロードデータの転送先である基地局１ａとの通信のＣＱＩ値が閾値以上である端末（ＤＯＷＵ）１２を、オフロードデータの転送要求の送信先として選択する。
【０１０９】
次に、ペアリング制御部２５が、基地局１ａのエリア外に移動することにより、自端末から転送できなくなったメモリ内オフロードデータを、Ｂｌｕｅｔｏｏｔｈ（登録商標）等の通信方式により、端末（ＤＯＷＵ）１２ｃに転送する（ステップＳ１１２）。
【０１１０】
次に、ペアリング制御部２５は、端末（ＤＯＷＵ）１２ｃから、受信完了を示す情報を受信したか否かを判定する（ステップＳ１１３）。受信完了を示す情報を受信していない場合（ステップＳ１１３，Ｎｏ）、処理はステップＳ１１２に戻る。
【０１１１】
受信完了を示す情報を受信しないまま一定時間が経過することにより、タイムアウトした場合（ステップＳ１１３，タイムアウト）、ペアリング制御部２５は、新たな転送相手を、上述の条件（１）及び（２）の少なくとも一方を使用してサーチする（ステップＳ１１４）。次に、処理はステップＳ１１１に戻る。
【０１１２】
受信完了を示す情報を受信した場合（ステップＳ１１３，Ｙｅｓ）、ペアリング制御部２５が、ペアリングを解除し（ステップＳ１１５）、処理を終了し、通常送受信処理に移行する。
【０１１３】
図１４Ｃは、実施例の端末（ＤＯＷＵ）１２の割込み処理２の一例を示すフローチャートである。図１４Ｃの説明では、端末（ＤＯＷＵ）１２ｃが、基地局１ａのエリア外に移動した端末（ＤＯＷＵ）１２ｂから、オフロードデータの転送要求を受信した場合（図４参照）を例にして説明する。はじめに、ペアリング制御部２５が、端末（ＤＯＷＵ）１２のメモリに残された基地局１ａ向けのオフロードデータを、Ｂｌｕｅｔｏｏｔｈ（登録商標）等の通信方式による転送データとして受信する（ステップＳ１２１）。次に、ペアリング制御部２５が、ステップＳ１２１の処理により受信された転送データを、端末（ＤＯＷＵ）１２のメモリに格納する（ステップＳ１２２）。
【０１１４】
次に、ペアリング制御部２５が、端末（ＤＯＷＵ）１２のメモリに残された基地局１ａ向けのオフロードデータの受信を完了したか否かを判定する（ステップＳ１２３）。受信を完了していない場合（ステップＳ１２３，Ｎｏ）、処理はステップＳ１２１に戻る。
【０１１５】
受信を完了した場合（ステップＳ１２３，Ｙｅｓ）、ペアリング制御部２５が、受信完了を示す情報を送信する（ステップＳ１２４）。次に、転送処理部２６が、ステップＳ１２２の処理によりメモリに格納された転送データを、メモリ内オフロードデータ転送用確保領域の指定ＲＢを使用して、基地局１ａに送信し（ステップＳ１２５）、割込み処理２を終了する。割込み処理２が終了すると、処理はオフロード処理（図１４Ａ参照）に戻り、当該オフロード処理を継続する。
【０１１６】
受信を完了しないまま一定時間が経過することにより、タイムアウトした場合（ステップＳ１２３，タイムアウト）、割込み処理２を終了する。割込み処理２が終了すると、処理はオフロード処理（図１４Ａ参照）に戻り、当該オフロード処理を継続する。
【０１１７】
＜他の実施例＞
実施例で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１１８】
さらに、各装置で行われる各種処理機能は、ＣＰＵ（Central Processing Unit）（又はＭＰＵ（Micro Processing Unit）、ＭＣＵ（Micro Controller Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【０１１９】
実施例の基地局は、例えば、次のようなハードウェア構成により実現することができる。
【０１２０】
図１５は、実施例の基地局１のハードウェア構成の一例を示す図である。基地局１は、例えば図１５に示すように、アンテナ３１、無線通信モジュール２０１、ユーザインタフェース回路２０２、メモリ２０３、プロセッサ２０４及びネットワークインタフェース回路２０５を有する。プロセッサ２０４の一例としては、ＣＰＵ、ＤＳＰ（Digital Signal Processor）、ＦＰＧＡ（Field Programmable Gate Array）等が挙げられる。また、メモリ２０３の一例としては、ＳＤＲＡＭ（Synchronous Dynamic Random Access Memory）等のＲＡＭ（Random Access Memory）、ＲＯＭ（Read Only Memory）、フラッシュメモリ等が挙げられる。
【０１２１】
無線通信部３２及び信号処理部３３は、例えば無線通信モジュール２０１により実現される。通信制御部３４、演算部３５、位置情報受信処理部３７、オフロードデータ送受信制御部３８及び算出部３９は、例えばプロセッサ２０４により実現される。メモリ部３６は、例えばメモリ２０３により実現される。
【０１２２】
また、実施例の端末（ＤＯＷＵ）１２は、例えば、次のようなハードウェア構成により実現することができる。なお端末１１のハードウェア構成も、端末（ＤＯＷＵ）１２のハードウェア構成と同様である。
【０１２３】
図１６は、実施例の端末（ＤＯＷＵ）１２のハードウェア構成の一例を示す図である。実施例の端末（ＤＯＷＵ）１２は、プロセッサ３０１、主記憶装置３０２、補助記憶装置３０３、表示装置３０４、入力装置３０５、第１の通信ＩＦ３０６、及び、第２の通信ＩＦ３０７を備える。プロセッサ３０１、主記憶装置３０２、補助記憶装置３０３、表示装置３０４、入力装置３０５、第１の通信ＩＦ３０６、及び、第２の通信ＩＦ３０７は、バス３１０を介して接続されている。
【０１２４】
プロセッサ３０１は補助記憶装置３０３から主記憶装置３０２に読み出されたプログラムを実行する。プロセッサ３０１は、例えばＣＰＵ等の１以上のプロセッサである。主記憶装置３０２はＲＯＭ及びＲＡＭ等のメモリである。補助記憶装置３０３はメモリカード等である。
【０１２５】
表示装置３０４は情報を表示する。表示装置３０４は、例えば液晶ディスプレイ及び有機ＥＬディスプレイ等である。入力装置３０５は、情報の入力を受け付ける。入力装置３０５は、例えばハードウェアキー等である。なお表示装置３０４及び入力装置３０５は、表示機能と入力機能とを兼ねるタッチパネル等でもよい。
【０１２６】
第１の通信ＩＦ３０６は、例えばＬＴＥ等の通信方式により、データを送受信するインタフェースである。第２の通信ＩＦ３０７は、例えばＢｌｕｅｔｏｏｔｈ（登録商標）等の通信方式により、データを送受信するインタフェースである。
【０１２７】
実施例の端末（ＤＯＷＵ）１２で実行されるプログラムは、インストール可能な形式又は実行可能な形式のファイルでＣＤ−ＲＯＭ、メモリカード、ＣＤ−Ｒ、及び、ＤＶＤ（Digital Versatile Disc）等のコンピュータで読み取り可能な記憶媒体に記憶されてコンピュータ・プログラム・プロダクトとして提供される。
【０１２８】
また実施例の端末（ＤＯＷＵ）１２で実行されるプログラムを、インターネット等のネットワークに接続されたコンピュータ上に格納し、ネットワーク経由でダウンロードさせることにより提供するように構成してもよい。また実施例の端末（ＤＯＷＵ）１２が実行するプログラムを、ダウンロードさせずにインターネット等のネットワーク経由で提供するように構成してもよい。
【０１２９】
また実施形態の端末（ＤＯＷＵ）１２で実行されるプログラムを、ＲＯＭ等に予め組み込んで提供するように構成してもよい。
【０１３０】
実施例の端末（ＤＯＷＵ）１２で実行されるプログラムは、実施例の端末（ＤＯＷＵ）１２の機能構成のうち、プログラムにより実現可能な機能を含むモジュール構成となっている。
【０１３１】
プログラムにより実現される機能は、プロセッサ３０１が補助記憶装置３０３等の記憶媒体からプログラムを読み出して実行することにより、主記憶装置３０２にロードされる。すなわちプログラムにより実現される機能は、主記憶装置３０２上に生成される。
【０１３２】
なお実施例の端末（ＤＯＷＵ）１２の機能の一部を、ＩＣ（Integrated Circuit）等のハードウェアにより実現してもよい。ＩＣは、例えば専用の処理を実行するプロセッサである。
【０１３３】
また複数のプロセッサを用いて各機能を実現する場合、各プロセッサは、各機能のうち１つを実現してもよいし、各機能のうち２以上を実現してもよい。
【０１３４】
以上のように本実施例の無線通信システム１０によれば、基地局１ａのオフロードデータ送受信制御部３８が、基地局１ａとコアネットワーク１００との間のバックホール１０１ａを使用して送信されるデータの量が閾値以上であり、かつ、当該データを基地局１ｂにオフロードできる場合、基地局１ａ及び１ｂの両方に接続可能な端末（ＤＯＷＵ）１２ｂと、データを送受信する。端末（ＤＯＷＵ）１２ｂの転送処理部２６は、基地局１ａから受信されたデータを、ＬＴＥ等の通信方式を使用して、基地局１ｂに転送し、基地局１ｂから受信されたデータを、ＬＴＥ等の通信方式を使用して、基地局１ａに転送する。そして、基地局１ａ及び１ｂの両方に接続可能なエリア１０２に存在する端末（ＤＯＷＵ）１２ｃは、基地局１ａと接続できないエリアに端末（ＤＯＷＵ）１２ｂが移動した場合、Ｂｌｕｅｔｏｏｔｈ（登録商標）等の通信方式を使用して、端末（ＤＯＷＵ）１２ｂから未転送のデータを受信し、当該未転送のデータを、ＬＴＥ等の通信方式を使用して、基地局１ａに転送する。
【０１３５】
この無線通信システム１０の構成により、オフロードされるデータの欠落を防止することができる。より具体的には、事前に主回線とは別の通信手段にて、端末（ＤＯＷＵ）１２同士をペアリングしておくことで、通信断や瞬断に伴う転送中のオフロードデータを瞬時に他の端末（ＤＯＷＵ）１２に転送できるので、オフロードデータの欠落を防ぐことができる。更に、間接的な効果として、オフロードデータ欠落時のデータ再送制御等が発生しなくなることから、バックホール１０１の過渡的な負荷の上昇を軽減することができる。
【符号の説明】
【０１３６】
１  基地局
１０  無線通信システム
１１  端末
１２  端末（ＤＯＷＵ）
１００  コアネットワーク
１０１  バックホール
２１  アンテナ
２２  無線通信部
２３  信号処理部
２４  位置情報送信処理部
２５  ペアリング制御部
２６  転送処理部
３１  アンテナ
３２  無線通信部
３３  信号処理部
３４  通信制御部
３５  演算部
３６  メモリ部
３７  位置情報受信処理部
３８  オフロードデータ送受信制御部
３９  算出部
【図１】
2018196088.tif 000003
【図２】
2018196088.tif 000004
【図３】
2018196088.tif 000005
【図４】
2018196088.tif 000006
【図５】
2018196088.tif 000007
【図６Ａ】
2018196088.tif 000008
【図６Ｂ】
2018196088.tif 000009
【図７】
2018196088.tif 000010
【図８】
2018196088.tif 000011
【図９】
2018196088.tif 000012
【図１０】
2018196088.tif 000013
【図１１】
2018196088.tif 000014
【図１２Ａ】
2018196088.tif 000015
【図１２Ｂ】
2018196088.tif 000016
【図１３】
2018196088.tif 000017
【図１４Ａ】
2018196088.tif 000018
【図１４Ｂ】
2018196088.tif 000019
【図１４Ｃ】
2018196088.tif 000020
【図１５】
2018196088.tif 000021
【図１６】
2018196088.tif 000022